(57)【要約】【課題】繰り返し使用可能であり、かつ、秘密保持性に優れた通い袋を提供すること。【解決手段】本発明の通い袋は、発送元と発送先との間で物品をやり取りする際に使用される通い袋である。この通い袋は、開閉可能かつ閉状態において施錠可能に構成された袋本体と；袋本体の外側に設けられ、発送元の情報が印刷された発送元表示部と；発送元表示部を隠蔽するように、かつ、剥離可能に発送元表示部に貼り付けられた発送先表示部と；を備える。発送元表示部の表面は凹凸を有するよう構成されている。【選択図】図１
2017137060.tif 000002
【特許請求の範囲】
【請求項１】
発送元と発送先との間で物品をやり取りする際に使用される通い袋であって、
開閉可能かつ閉状態において施錠可能に構成された袋本体と、
該袋本体の外側に設けられ、発送元の情報が印刷された発送元表示部と、
該発送元表示部を隠蔽するように、かつ、剥離可能に該発送元表示部に貼り付けられた発送先表示部と、を備え、
該発送元表示部の表面が凹凸を有するよう構成されている、
通い袋。
【請求項２】
前記発送元表示部の表面がエンボス加工されている、請求項１に記載の通い袋。
【請求項３】
前記袋本体の周縁部の一部がファスナーにより開閉可能に構成されている、請求項１または２に記載の通い袋。
【請求項４】
前記袋本体が、前記ファスナーが設けられた部分に近接する部分に環状をなすように設けられた舌部をさらに備え、
前記ファスナーのスライダーが開口部を有する、
請求項３に記載の通い袋。
【請求項５】
線状の錠部材をさらに備え、
該線状の錠部材は、一端に係合部を備えた挿し込み部と、他端に該挿し込み部が挿し込まれ、該係合部を係止してロックする係止部を備えた受部と、を有し、
前記ファスナーが閉じた状態で、該線状の錠部材が前記スライダーの開口部および前記舌部に通されてループを形成した状態で係止してロックされることにより袋本体を施錠可能に構成されている、
請求項４に記載の通い袋。
【請求項６】
前記袋本体が熱可塑性樹脂で構成されている、請求項１から５のいずれかに記載の通い袋。
【発明の詳細な説明】
【技術分野】
【０００１】
本発明は、発送元と発送先との間で物品（例えば、書類、記憶メディア、音楽や映画に関するＣＤやＤＶＤ）をやり取りする際に使用される通い袋に関する。
【背景技術】
【０００２】
企業における各事業所間の物品（例えば、書類、記憶メディア）のやり取り、および、宅配レンタルショップにおける物品（例えば、音楽や映画に関するＣＤやＤＶＤ）のやり取りには通い袋が用いられている。例えば、宅配レンタルショップにおいては、利用者が注文すると利用者の自宅に送付用封筒に収容されたＤＶＤ等が送付される。利用後には当該送付用封筒の所定の部分を破断して当該破断部からＤＶＤ等を収容し、さらに、所定の部分をシールすることにより、送付用封筒を返信用に再利用してＤＶＤ等を返却する。しかし、このような封筒は１回の利用（送付および返却）で使い捨てであり、廃棄物の増大および環境への悪影響という重大な問題がある。さらに、このような封筒は、悪意をもってすれば容易に（例えば、一切の道具を用いずに手で）開封可能であり、秘密保持の観点からも問題を孕んでいる。
【先行技術文献】
【特許文献】
【０００３】
【特許文献１】特開２０１３−８６８６４号公報
【発明の概要】
【発明が解決しようとする課題】
【０００４】
本発明は上記従来の課題を解決するためになされたものであり、その目的とするところは、繰り返し使用可能であり、かつ、秘密保持性に優れた通い袋を提供することにある。
【課題を解決するための手段】
【０００５】
本発明の通い袋は、発送元と発送先との間で物品をやり取りする際に使用される通い袋である。この通い袋は、開閉可能かつ閉状態において施錠可能に構成された袋本体と；該袋本体の外側に設けられ、発送元の情報が印刷された発送元表示部と；該発送元表示部を隠蔽するように、かつ、剥離可能に該発送元表示部に貼り付けられた発送先表示部と；を備える。該発送元表示部の表面は凹凸を有するよう構成されている。
１つの実施形態においては、上記発送元表示部の表面はエンボス加工されている。
１つの実施形態においては、上記袋本体の周縁部の一部はファスナーにより開閉可能に構成されている。
１つの実施形態においては、上記袋本体は、上記ファスナーが設けられた部分に近接する部分に環状をなすように設けられた舌部をさらに備え、上記ファスナーのスライダーは開口部を有する。
１つの実施形態においては、上記通い袋は線状の錠部材をさらに備える。該線状の錠部材は、一端に係合部を備えた挿し込み部と、他端に該挿し込み部が挿し込まれ、該係合部を係止してロックする係止部を備えた受部と、を有し、上記ファスナーが閉じた状態で、該線状の錠部材が上記スライダーの開口部および上記舌部に通されてループを形成した状態で係止してロックされることにより袋本体を施錠可能に構成されている。
１つの実施形態においては、上記袋本体は熱可塑性樹脂で構成されている。
【発明の効果】
【０００６】
本発明の通い袋は、繰り返し使用可能であり、かつ、秘密保持性に優れる。
【図面の簡単な説明】
【０００７】
【図１】本発明の１つの実施形態による通い袋の発送元から発送先へ送付する際の開状態を説明する概略斜視図である。
【図２】図１の通い袋の発送先から発送元へ返送する際の閉状態かつ施錠状態を説明する概略斜視図である。
【図３】図１の通い袋における線状の錠部材の取り付け状態を説明する概略平面図である。
【図４】図１の通い袋の発送元から発送先へ送付する際の閉状態かつ施錠状態を説明する概略斜視図である。
【発明を実施するための形態】
【０００８】
以下、図面を参照して本発明の実施形態について説明するが、本発明はこれらの実施形態には限定されない。なお、図面に示す寸法比率は、実際の比率とは異なっている。
【０００９】
本発明の通い袋は、発送元と発送先との間で物品をやり取りする際に使用される通い袋である。図１は、本発明の１つの実施形態による通い袋の発送元から発送先へ送付する際の開状態における概略斜視図であり、図２は、図１の通い袋の発送先から発送元へ返送する際の閉状態かつ施錠状態における概略斜視図である。通い袋１００は、袋本体１０と；袋本体１０の外側に設けられた発送元表示部２０と；発送元表示部２０を隠蔽するように、かつ、剥離可能に発送元表示部２０に貼り付けられた発送先表示部３０と；を備える。
【００１０】
袋本体１０は、代表的には、物品を収容する収容部１１を内部に有する平面視矩形の封筒状であり、その一部が開閉可能手段を含むよう構成されている。図示例では、袋本体１０の上部が開口しており、当該開口部に開閉可能手段としてファスナー１２が設けられている。ファスナー１２は一般的な構成を有する。具体的には、ファスナー１２は、スライダー１２ａとエレメント（務歯）１２ｂとを有する。スライダー１２ａには開口部１２ｃが形成されている。
【００１１】
袋本体１０は、代表的には、ファスナー１２が設けられた部分に近接する部分に舌部１４をさらに備える。舌部１４は、例えば、ファスナー１２が閉状態においてスライダー１２ａに近接する辺（図示例では右辺）の上部に設けられる。舌部１４は、例えば、１枚のシートの両端部を袋本体の所定位置に縫い付けることにより、環状をなすように構成され、かつ、袋本体に一体化されている。
【００１２】
袋本体１０は、代表的には熱可塑性樹脂、好ましくは軟質塩化ビニル樹脂で構成されている。このような構成であれば、袋本体を紙や布で構成する場合に比べて、耐久性が格段に向上し、繰り返し使用可能な回数を格段に増加させることができる。１つの実施形態においては、袋本体には撥水加工がなされていてもよい。このような構成であれば、雨天における送付においても耐水性が発揮されるので、耐久性がさらに向上し、繰り返し使用可能な回数がさらに増加し得る。
【００１３】
袋本体１０の形状およびサイズは、やり取りされる物品の形状およびサイズに応じて適切に設計され得る。
【００１４】
発送元表示部２０は、発送元の情報が印刷されている。当該情報としては、例えば、住所、事業所名（店舗名）、電話番号、郵便料金別納または郵便料金後納に関する表示が挙げられる。本発明の実施形態においては、発送元表示部２０の表面は凹凸を有するよう構成されている。具体的には、袋本体の所定の位置に発送元の情報を印刷し、当該印刷位置に凹凸を形成してもよく；袋本体の所定の位置に凹凸を形成し、当該凹凸形成位置に発送元の情報を印刷してもよく；袋本体の所定の位置に発送元の情報を印刷し、当該印刷位置を視認可能にカバーするように、表面に凹凸を有する透明部材（代表的には、透明シート）を取り付け（代表的には、袋本体に縫い付け）てもよい。好ましくは、袋本体の所定の位置に発送元の情報を印刷し、当該印刷位置を視認可能にカバーするように、表面に凹凸を有する透明シートが袋本体に縫い付けられる。製造効率に優れ、かつ、耐久性に優れるからである。表面の凹凸は、任意の適切な方法により形成され得る。代表例としては、エンボス加工、微粒子の含有が挙げられる。好ましくは、エンボス加工である。操作が容易で、かつ、所望の凹凸形状の形成が容易だからである。
【００１５】
発送先表示部３０は、上記のとおり、発送元表示部２０を隠蔽し、かつ、発送元表示部２０に剥離可能に貼り付けられている。発送先表示部３０は、代表的には、紙で構成され発送先の情報が印刷された印刷層と粘着剤層とを有する積層シート（いわゆる宛名シール）である。発送先表示部３０は、好ましくは、発送元から発送先への送付時には発送元表示部２０から剥離することのないようにして貼り付けられ、かつ、発送先から発送元への返送時には発送元表示部２０から容易に剥離可能である。このような機能は、発送元表示部表面の凹凸形状と発送先表示部３０の粘着剤層を構成する粘着剤とを適切に組み合わせて選択することにより実現され得る。
【００１６】
本発明の実施形態における発送元表示部を袋本体に印刷し発送先表示部を貼り付けるという構成は、１つの発送元から多数の発送先に発送するような物品のやり取りにおいて特に好適である。例えば、発送元が企業の本社で発送先が各支店・営業所・事業所である場合、発送元が宅配レンタルショップであり発送先が利用者である場合が挙げられる。
【００１７】
通い袋１００は、代表的には、線状の錠部材４０をさらに備える。線状の錠部材４０は、一端に係合部４２ａを備えた挿し込み部４２と、他端に該挿し込み部が挿し込まれ、係合部４２ａを係止してロックする係止部４４ａを備えた受部４４と、を有する。線状の錠部材４０は、袋本体１０の収容部１１の所定の位置に使用後に取り外し可能なようにして取り付けられている。線状の錠部材４０は、例えば図３に示すように、結合部４６から２つの線状部が延びる二又状であってもよい。この場合、一方の線状部の端部に挿し込み部４２が設けられ、他方の線状部の端部に受部４４が設けられる。このような線状の錠部材４０は、図３に示すように、収容部の所定の位置に設けられた別の舌部１６に設けられた２つの切込み１６ａおよび１６ｂ（糸通し孔として機能する）に通されて固定される。切込み１６ａおよび１６ｂに通された錠部材４０は、結合部４６、挿し込み部４２または受部４４で係止されるので、脱落することはない。使用後に取り外す際は、線状部分をはさみ等で切断して、糸通し孔から引き抜けばよい。
【００１８】
通い袋１００は、図２に示すように、袋本体１０のファスナー１２が閉じた状態で、線状の錠部材４０がスライダー１２ａの開口部１２ｃおよび舌部１４に通されてループを形成した状態で係止してロックされることにより施錠（封緘）され得る。なお、この状態は、後述するように、発送先から発送元へ返送する際の状態である。
【００１９】
以下、本発明の実施形態による通い袋の使用方法を説明する。代表例として、通い袋が宅配レンタルショップにおいて使用される場合を説明するが、この通い袋が他の用途（例えば、企業の事業所間のやり取り）にも使用可能であることは当業者に自明である。
【００２０】
図１に示すように、袋本体１０が開状態において物品（例えば、ＤＶＤ、ＣＤ）が収容部１１に収容され、物品収容後、ファスナー１２により袋本体が閉鎖される。一方、発送先表示部３０が発送元表示部２０に貼り付けられる。この貼り付けは、物品収容前であってもよく、物品収容後（袋本体の閉鎖後）であってもよい。次に、図４に示すように、袋本体１０のファスナー１２が閉じた状態で、別の線状の錠部材５０がスライダー１２ａの開口部１２ｃおよび舌部１４に通されてループを形成した状態で係止してロックされることにより施錠（封緘）される。別の線状の錠部材５０は、代表的には、通い袋１００とは別体である。この状態において、線状の錠部材４０は、収容部１１内部に取り付けられている。このように、施錠（封緘）された通い袋１００（実質的には、収容部に収容された物品）が発送元（レンタルショップ）から発送先（利用者）へと送付される。利用者の利用終了後、図１に示す操作と実質的に同様にして、物品が収容部に収容され、袋本体が閉鎖される。さらに、発送先表示部３０が剥離されて、発送元表示部２０が露出する。ここで、収容部１１から引き出した線状の錠部材４０がスライダー１２ａの開口部１２ｃおよび舌部１４に通されてループを形成した状態で係止してロックされることにより施錠（封緘）される。この状態で、通い袋（物品）が発送先から発送元へと返送される。
【００２１】
発送元へと返送された通い袋から物品が取り出されて所定の保管位置に返還される。物品取出しの際に開錠された線状の錠部材４０は、通い袋から除去される。次いで、新たな線状の錠部材４０が、収容部の所定の位置に取り付けられる。その後、上記の操作を繰り返すことにより、発送元と発送先との間の物品のやり取りに通い袋が繰り返し使用され得る。
【産業上の利用可能性】
【００２２】
本発明の通い袋は、発送元と発送先との間で物品をやり取りする際に用いられる。本発明の通い袋は、例えば、企業における各事業所間の物品（例えば、書類、記憶メディア）のやり取り、および、宅配レンタルショップにおける物品（例えば、音楽や映画に関するＣＤやＤＶＤ）のやり取りに用いられ、特に、宅配レンタルショップにおける物品のやり取りに好適に用いられ得る。
【符号の説明】
【００２３】
１０      袋本体
１１      収容部
１２      ファスナー
１４      舌部
２０      発送元表示部
３０      発送先表示部
４０      線状の錠部材
４２      挿し込み部
４４      受部
５０      別の線状の錠部材
１００      通い袋
【図１】
2017137060.tif 000003
【図２】
2017137060.tif 000004
【図３】
2017137060.tif 000005
【図４】
2017137060.tif 000006